【手続補正書】
【提出日】平成23年1月24日(2011.1.24)
【手続補正１】
【補正対象書類名】特許請求の範囲
【補正対象項目名】全文
【補正方法】変更
【補正の内容】
【特許請求の範囲】
【請求項１】
走査ラインと信号ラインとの交点にそれぞれが対応するように配置され表示データに基づく表示信号が印加される画素電極と、前記画素電極のそれぞれに対して対向するように配置され垂直同期信号に基づくタイミングで所定の中心電圧に対して極性が反転されるコモン信号が印加される共通電極と、を有する表示パネルを駆動する表示駆動装置において、
前記走査ラインに走査信号を出力する走査手段と、
前記コモン信号の電圧極性が反転される毎に、前記走査信号のオフ電圧レベルを、第１の電圧レベルと、前記第１の電圧レベルとは異なる第２の電圧レベルとの間で切り替える切り替え手段と、
を有する走査側駆動手段を具備することを特徴とする表示駆動装置。
【請求項２】
前記切り替え手段は、前記コモン信号が当該コモン信号の振幅中心電圧に対して負極性となった場合に前記オフ電圧レベルを前記第１の電圧レベルに切り替え、前記コモン信号が当該コモン信号の振幅中心電圧に対して正極性となった場合に前記オフ電圧レベルを前記第１の電圧レベルよりも前記走査信号電圧のオンレベル側になる前記第２の電圧レベルに切り替えることを特徴とする請求項１に記載の表示駆動装置。
【請求項３】
前記切り替え手段は、前記第１の電圧レベルに対応させて所定の電源電圧を複数の昇圧回路で順に昇圧する第１の接続状態と、前記第２の電圧レベルに対応させて前記複数の昇圧回路の何れかをバイパスさせて前記所定の電源電圧を昇圧する第２の接続状態と、を切り替えることにより、前記オフ電圧レベルを切り替えることを特徴とする請求項２に記載の表示駆動装置。
【請求項４】
前記切り替え手段は、前記第１の電圧レベルに対応させて前記コモン信号の正極電圧を複数の昇圧回路で順に昇圧する第１の接続状態と、前記第２の電圧レベルに対応させて前記複数の昇圧回路の何れかをバイパスさせて前記コモン信号の正極電圧を昇圧する第２の接続状態と、を切り替えることにより、前記オフ電圧レベルを切り替えることを特徴とする請求項３に記載の表示駆動装置。
【請求項５】
前記切り替え手段は、前記切り替えを垂直帰線期間内に行うことを特徴とする請求項１から４の何れかに記載の表示駆動装置。
【請求項６】
前記切り替え手段は、前記第１の電圧レベルと前記第２の電圧レベルとを、互いに共通の電源電圧を昇圧してそれぞれ生成することを特徴とする請求項１から５の何れかに記載の表示駆動装置。
【請求項７】
走査ラインと信号ラインとの交点にそれぞれが対応するように配置され表示データに基づく表示信号が印加される画素電極と、前記画素電極のそれぞれに対して対向するように配置され垂直同期信号に基づくタイミングで所定の中心電圧に対して極性が反転されるコモン信号が印加される共通電極と、を有する表示装置において、
前記走査ラインに走査信号を出力する走査側駆動手段を具備し、
前記走査側駆動手段は、前記コモン信号の電圧極性が反転される毎に、前記走査信号のオフ電圧レベルを、第１の電圧レベルと、前記第１の電圧レベルとは異なる第２の電圧レベルとの間で切り替える切り替え手段を有することを特徴とする表示装置。
【請求項８】
前記切り替え手段は、前記コモン信号が当該コモン信号の振幅中心電圧に対して負極性となった場合に前記オフ電圧レベルを前記第１の電圧レベルに切り替え、前記コモン信号が当該コモン信号の振幅中心電圧に対して正極性となった場合に前記オフ電圧レベルを前記第１の電圧レベルよりも前記走査信号電圧のオン電圧レベル側になる前記第２の電圧レベルに切り替えることを特徴とする請求項７に記載の表示装置。
【請求項９】
前記切り替え手段は、前記第１の電圧レベルに対応させて所定の電源電圧を複数の昇圧回路で順に昇圧する第１の接続状態と、前記第２の電圧レベルに対応させて前記複数の昇圧回路の何れかをバイパスさせて前記所定の電源電圧を昇圧する第２の接続状態と、を切り替えることにより、前記オフ電圧レベルを切り替えることを特徴とする請求項８に記載の表示装置。
【請求項１０】
画素トランジスタを介して表示信号が印加される画素電極と各表示画素間で共通のコモン信号が印加される共通電極と間に液晶が挟持された表示パネルを有し、
１画面分の表示データに対応した表示信号を前記表示パネルに供給する毎に、第１の電圧レベルと前記第１の電圧レベルとは異なる第２の電圧レベルとの間で前記コモン信号の電圧レベルが切り替わる表示装置において、
前記コモン信号における電圧レベルの切り替わりに同期させて、前記画素トランジスタのオフ電圧レベルを、第３の電圧レベルと前記第３の電圧レベルとは異なる第４の電圧レベルとの間で切り替える切り替え手段を有することを特徴とする表示装置。
【請求項１１】
前記切り替え手段は、前記コモン信号が当該コモン信号の振幅中心電圧に対して負極性となった場合に前記オフ電圧レベルを前記第３の電圧レベルに切り替え、前記コモン信号が当該コモン信号の振幅中心電圧に対して正極性となった場合に前記オフ電圧レベルを前記第３の電圧レベルよりも前記画素トランジスタのオン電圧レベル側になる前記第４の電圧レベルに切り替えることを特徴とする請求項１０に記載の表示装置。
【請求項１２】
前記切り替え手段は、前記第３の電圧レベルに対応させて所定の電源電圧を複数の昇圧回路で順に昇圧する第１の接続状態と、前記第４の電圧レベルに対応させて前記複数の昇圧回路の何れかをバイパスさせて前記所定の電源電圧を昇圧する第２の接続状態と、を切り替えることにより、前記オフ電圧レベルを切り替えることを特徴とする請求項１１に記載の表示装置。
【手続補正２】
【補正対象書類名】明細書
【補正対象項目名】０００８
【補正方法】変更
【補正の内容】
【０００８】
上記の目的を達成するために、本発明の表示駆動装置は、走査ラインと信号ラインとの交点にそれぞれが対応するように配置され表示データに基づく表示信号が印加される画素電極と、前記画素電極のそれぞれに対して対向するように配置され垂直同期信号に基づくタイミングで所定の中心電圧に対して極性が反転されるコモン信号が印加される共通電極と、を有する表示パネルを駆動する表示駆動装置において、前記走査ラインに走査信号を出力する走査手段と、前記コモン信号の電圧極性が反転される毎に、前記走査信号のオフ電圧レベルを、第１の電圧レベルと、前記第１の電圧レベルとは異なる第２の電圧レベルとの間で切り替える切り替え手段と、を有する走査側駆動手段を具備することを特徴とする。
【手続補正３】
【補正対象書類名】明細書
【補正対象項目名】０００９
【補正方法】変更
【補正の内容】
【０００９】
また、上記の目的を達成するために、本発明の表示装置は、走査ラインと信号ラインとの交点にそれぞれが対応するように配置され表示データに基づく表示信号が印加される画素電極と、前記画素電極のそれぞれに対して対向するように配置され垂直同期信号に基づくタイミングで所定の中心電圧に対して極性が反転されるコモン信号が印加される共通電極と、を有する表示装置において、前記走査ラインに走査信号を出力する走査側駆動手段を具備し、前記走査側駆動手段は、前記コモン信号の電圧極性が反転される毎に、前記走査信号のオフ電圧レベルを、第１の電圧レベルと、前記第１の電圧レベルとは異なる第２の電圧レベルとの間で切り替える切り替え手段を有することを特徴とする。